(57)【要約】      （修正有）【課題】使い勝手を向上した冊子体、カレンダーを提供する。【解決手段】冊子体１は、複数枚のシート片１１１がめくれるように、シート片１１１の第１の辺１１１ａ側が接合又は接続された積層部１１と、積層部１１が重ねて配置されており、積層部１１よりも広い面積に形成されたベースシート部１２とを備える。ベースシート部１２は、第１の拡大領域１２ａと、第２の拡大領域１２ｂと、積層領域１２ｃとを有している。また、ベースシート部１２の裏面側には、粘着材と剥離シートが配置されている。【選択図】図１
2019119183.tif 000002
【特許請求の範囲】
【請求項１】
複数枚のシート片がめくれるように、前記シート片の第１の辺側が接合又は接続された積層部と、
前記積層部が重ねて配置されており、前記積層部よりも広い面積に形成されたベースシート部と、
を備える冊子体。
【請求項２】
請求項１に記載の冊子体において、
前記シート片のシート面に直交する方向から見たときに前記積層部の外形形状から外側に広がって形成されている拡大領域は、前記第１の辺の延在方向の少なくとも一方側に拡大されて設けられていること、
を特徴とする冊子体。
【請求項３】
請求項２に記載の冊子体において、
前記拡大領域は、前記第１の辺と対向する辺側へ拡大して設けられていること、
を特徴とする冊子体。
【請求項４】
請求項３に記載の冊子体において、
前記ベースシート部の前記積層部が重ねられている側を表面としたときに、
前記第１の辺と対向する辺側へ拡大して設けられている前記拡大領域の裏面には、粘着材が配置されていること、
を特徴とする冊子体。
【請求項５】
請求項２から請求項４までのいずれかに記載の冊子体において、
前記ベースシート部の前記積層部が重ねられている側を表面としたときに、
少なくとも前記拡大領域の表面には、表面処理が施されている、又は、機能性シートが貼り合わせされていること、
を特徴とする冊子体。
【請求項６】
複数枚のシート片がめくれるように、前記シート片の第１の辺側が接合又は接続された積層部と、
前記積層部が重ねて配置されており、前記積層部よりも広い面積に形成されたベースシート部と、
を備えるカレンダー。
【発明の詳細な説明】
【技術分野】
【０００１】
本発明は、例えば、カレンダーや付箋、メモ用紙等、複数枚のシート片が積層配置された冊子体、カレンダーに関するものである。
【背景技術】
【０００２】
カレンダーや付箋、メモ用紙等は、複数枚のシート片（紙片）が積層配置されている形態が多い。カレンダーは、日常的に用いられるものであり、目に届きやすい場所に設置できることが望ましい。また、付箋やメモについても、必要なときに直ぐに利用できる場所に置いておくことが望ましい。特に、デスクワーク環境では、その要求が高くなる傾向にある。カレンダーや付箋の機能は、パーソナルコンピュータやスマートフォン等のアプリケーションソフトウェアで実現可能ではあるが、画面を他のソフトウェアで使っているときには、利用できない場合がある。また、カレンダーや付箋といったものは、ソフトウェアではなく、実物を用いたいという要望も根強くある。
【０００３】
しかし、カレンダーや付箋、メモ用紙等をデスク上にそれぞれ別々に置くと、限られたスペースが占有されてしまったり、書類等の下に隠れてしまったりして、使い勝手が悪い場合があった。
【先行技術文献】
【特許文献】
【０００４】
【特許文献１】特開２０１７−１４９０３６号公報
【発明の概要】
【発明が解決しようとする課題】
【０００５】
本発明の課題は、使い勝手を向上した冊子体、カレンダーを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、複数枚のシート片（１１１，２１１）がめくれるように、前記シート片（１１１，２１１）の第１の辺（１１１ａ，２１１ａ）側が接合又は接続された積層部（１１，２１）と、前記積層部（１１，２１）が重ねて配置されており、前記積層部（１１，２１）よりも広い面積に形成されたベースシート部（１２，２２）と、を備える冊子体（１，２）である。
【０００８】
第２の発明は、第１の発明に記載の冊子体（１，２）において、前記シート片（１１１，２１１）のシート面に直交する方向から見たときに前記積層部（１１，２１）の外形形状から外側に広がって形成されている拡大領域（１２ａ，２２ａ）は、前記第１の辺（１１１ａ，２１１ａ）の延在方向の少なくとも一方側に拡大されて設けられていること、を特徴とする冊子体（１，２）である。
【０００９】
第３の発明は、第２の発明に記載の冊子体（１，２）において、前記拡大領域（１２ｂ，２２ｂ）は、前記第１の辺（１１１ａ，２１１ａ）と対向する辺（１１１ｂ，２１１ｂ）側へ拡大して設けられていること、を特徴とする冊子体（１，２）である。
【００１０】
第４の発明は、第３の発明に記載の冊子体（１，２）において、前記ベースシート部（１２，２２）の前記積層部（１１，２１）が重ねられている側を表面としたときに、前記第１の辺（１１１ａ，２１１ａ）と対向する辺（１１１ｂ，２１１ｂ）側へ拡大して設けられている前記拡大領域（１２ｂ，２２ｂ）の裏面には、粘着材（１４，２４）が配置されていること、を特徴とする冊子体（１，２）である。
【００１１】
第５の発明は、第２の発明から第４の発明までのいずれかに記載の冊子体（１，２）において、前記ベースシート部（１２，２２）の前記積層部（１１，２１）が重ねられている側を表面としたときに、少なくとも前記拡大領域（１２ａ，１２ｂ，２２ａ，２２ｂ）の表面には、表面処理が施されている、又は、機能性シートが貼り合わせされていること、を特徴とする冊子体（１，２）である。
【００１２】
第６の発明は、複数枚のシート片（１１１）がめくれるように、前記シート片（１１１）の第１の辺（１１１ａ）側が接合又は接続された積層部（１１）と、前記積層部（１１）が重ねて配置されており、前記積層部（１１）よりも広い面積に形成されたベースシート部（１２）と、を備えるカレンダー（１）である。
【発明の効果】
【００１３】
本発明によれば、使い勝手を向上した冊子体、カレンダーを提供することができる。
【図面の簡単な説明】
【００１４】
【図１】第１実施形態の冊子体１の斜視図である。
【図２】第１実施形態の冊子体１の正面図である。
【図３】第１実施形態の冊子体１の背面図である。
【図４】第１実施形態の冊子体１の左側面図である。
【図５】第１実施形態の冊子体１の平面図（上面図）である。
【図６】シート片１１１及びベースシート部１２の印刷例を示す図である。
【図７】本実施形態の冊子体１の使用形態の一例を示す図である。
【図８】図７の使用形態を左側面から見た図である。
【図９】第２実施形態の冊子体２の斜視図である。
【図１０】第２実施形態の冊子体２の正面図である。
【図１１】第２実施形態の冊子体２の背面図である。
【図１２】第２実施形態の冊子体２の左側面図である。
【図１３】第２実施形態の冊子体２の平面図（上面図）である。
【発明を実施するための形態】
【００１５】
以下、本発明を実施するための最良の形態について図面等を参照して説明する。
【００１６】
（第１実施形態）
図１は、第１実施形態の冊子体１の斜視図である。
図２は、第１実施形態の冊子体１の正面図である。
図３は、第１実施形態の冊子体１の背面図である。
図４は、第１実施形態の冊子体１の左側面図である。
図５は、第１実施形態の冊子体１の平面図（上面図）である。
なお、これら図１から図５を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の機能を奏し、平行や直交と見なせる程度の誤差を有する状態も含むものとする。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面に関しても同様であるとする。
【００１７】
第１実施形態の冊子体１は、積層部１１と、ベースシート部１２と、リング１３とを備えている。
【００１８】
積層部１１は、例えば、紙で構成されており、複数枚のシート片１１１が積層されている。シート片１１１の第１の辺１１１ａ側は、リング１３によって接続されており、第１の辺１１１ａと対向する第２の辺１１１ｂ側をめくることができる。また、めくられたシート片１１１は、リング１３側を支点側として裏面へ回転して配置し直すことができる。なお、本明細書中では、図１及び図２において積層部１１が積層配置されている側を表、又は、表側と呼び、その反対側を裏、又は、裏側と呼ぶこととする。
【００１９】
ベースシート部１２は、例えば、厚紙で構成されており、積層部１１が重ねて配置されており、積層部１１よりも広い面積に形成されている。具体的には、第１の拡大領域１２ａと、第２の拡大領域１２ｂと、積層領域１２ｃとを備えている。
【００２０】
第１の拡大領域１２ａは、シート片１１１のシート面に直交する方向から見たとき、すなわち、図２の状態で見たときに、積層部１１の外形形状から外側に広がって形成されている拡大領域の一部であり、第１の辺１１１ａの延在方向の左側方側に拡大されて設けられている。
【００２１】
第２の拡大領域１２ｂは、図２の状態で見たときに、積層部１１の外形形状から外側に広がって形成されている拡大領域の一部であり、第１の辺１１１ａと対向する第２の辺１１１ｂ側、すなわち、図２における下側へ拡大して設けられている。
積層領域１２ｃは、積層部１１のシート片１１１が積層されている領域である。
【００２２】
また、ベースシート部１２の裏側には、粘着材１４と剥離シート１５とが設けられている。粘着材１４及び剥離シート１５は、双方とも第２の拡大領域１２ｂの裏面となる位置に設けられており、第２の拡大領域１２ｂよりも僅かに幅が狭く、図３における下方側に寄せて配置されている。粘着材１４は、例えば、両面テープを利用して形成してもよいし、印刷により形成してもよい。剥離シート１５は、粘着材１４に重ねて配置されており、粘着材１４を使用しない場合にこれを保護し、また、不用意に粘着材１４が予期せぬ場所に貼り付いてしまうことを防止する。
なお、図３中の破線は、積層部１１の外形形状を仮想線で表したものである。粘着材１４及び剥離シート１５は、図３に示すように、積層部１１の外形形状から間隔を空けた領域に配置されている。この理由については、後述する。
【００２３】
図６は、シート片１１１及びベースシート部１２の印刷例を示す図である。
図６に示すように、例えば、シート片１１１には、カレンダーを印刷することができる。また、ベースシート部１２には、例えば、企業名や商品名等を印刷することができる。
図６の例のように、１枚のシート片１１１に２ヶ月分の表示がされているカレンダーとして用いる場合には、先の図４に示したように、シート片１１１は、６枚綴りとすることができる。また、表紙を加えて７枚綴りとしてもよい。さらに、１枚に１ヶ月分の表示がされているカレンダーとして用いる場合には、１２枚綴りや１３枚綴り等としてもよい。なお、図４では、シート片１１１の枚数を特にわかりやすくするために、シート片１１１の厚さを誇張して示している。
【００２４】
図７は、本実施形態の冊子体１の使用形態の一例を示す図である。なお、図７では、印刷については省略している。
冊子体１の使い方として、例えば、図７に示すように、ディスプレイ５００の上端に貼り付けて利用する形態がある。このようにするためには、剥離シート１５を剥がして、粘着材１４を利用することで、簡単かつ、綺麗に取り付けが可能である。また、第１の拡大領域１２ａには、例えば、図７に示すように、付箋６００を貼り付けて使用することができる。また、第１の拡大領域１２ａには、直接書き込みを行って利用することもできる。また、第２の拡大領域１２ｂについても、同様に付箋の貼り付けや書き込みが可能である。
【００２５】
図８は、図７の使用形態を左側面から見た図である。
図８に示すように、冊子体１をディスプレイ５００の上端に貼り付ける場合には、粘着材１４が設けられている領域だけがディスプレイ５００の上端と重なるように位置を合わせる。これにより、シート片１１１を裏側へめくって位置を変えた場合であっても、ディスプレイ５００の上端にシート片１１１が当たってしまうことを回避でき、使用形態の美観を高めることができる。
【００２６】
以上説明したように、第１実施形態によれば、第１の拡大領域１２ａと、第２の拡大領域１２ｂとを備えているので、これらの領域に、付箋の貼り付けや、メモの書き込み等を行うことができ、利便性が向上する。
また、ベースシート部１２の裏側には、粘着材１４が設けられているので、例えば、冊子体１をディスプレイの上端等に貼り付けて使用することができ、作業空間等を効率よく活用できる。
さらに、粘着材１４は、第２の拡大領域１２ｂの裏面となる位置に設けられており、第２の拡大領域１２ｂよりも僅かに幅が狭く、下方側に寄せて配置されている。これにより、冊子体１をディスプレイ等の上端に貼り付けた使用形態において、シート片１１１を裏側へめくった場合に、ディスプレイ等の上端にシート片１１１が当たってしまうことを回避でき、使用形態の美観を高めることができる。
【００２７】
（第２実施形態）
図９は、第２実施形態の冊子体２の斜視図である。
図１０は、第２実施形態の冊子体２の正面図である。
図１１は、第２実施形態の冊子体２の背面図である。
図１２は、第２実施形態の冊子体２の左側面図である。
図１３は、第２実施形態の冊子体２の平面図（上面図）である。
第２実施形態の冊子体２は、第１実施形態のシート片１１１がカレンダーとして利用される形態であったのに対して、シート片２１１が着脱可能な粘着材付きの付箋であり、リング１３に相当する構成を備えていない点で第１実施形態の冊子体１とは異なっている。なお、前述した第１実施形態と同様の機能を果たす部分は、重複する説明を適宜省略する。
【００２８】
第２実施形態の冊子体２は、積層部２１と、ベースシート部２２とを備えている。
積層部２１は、例えば、紙で構成されており、複数枚のシート片２１１が積層されている。シート片１１１の第１の辺２１１ａ側は、粘着材によって接続されており、第１の辺２１１ａと対向する第２の辺２１１ｂ側をめくることができる。
シート片２１１は、上述したように、着脱可能な粘着材付きの付箋であり、粘着材は、図１０の上方側である第１の辺２１１ａ側にのみに設けられている。よって、図１０の下方側である第２の辺２１１ｂ側は単に重なっているだけであり、容易にめくることができる。
なお、図示した例では、シート片２１１は、幅が広いものを３箇所、幅が狭いものを３箇所にそれぞれ設けた例を示したが、この構成は、適宜変更してもよい。
【００２９】
ベースシート部２２は、例えば、厚紙で構成されており、積層部２１が重ねて配置されており、積層部２１よりも広い面積に形成されている。具体的には、第１の拡大領域２２ａと、第２の拡大領域２２ｂと、積層領域２２ｃとを備えている。
ベースシート部２２の裏側には、粘着材２４と剥離シート２５とが設けられている。
【００３０】
第２実施形態においても、第１の拡大領域２２ａと、第２の拡大領域２２ｂとを備えているので、これらの領域に、付箋の貼り付けや、メモの書き込み等を行うことができ、利便性が向上する。特に、第２実施形態のシート片２１１は、付箋であるので、積層部２１からめくり剥がしてメモ等を記入し、それを第１の拡大領域２２ａ又は第２の拡大領域２２ｂに貼り付けて利用でき、さらに利便性が向上する。
また、ベースシート部２２の裏側には、粘着材２４が設けられているので、第１実施形態と同様に、例えば、冊子体２をディスプレイの上端等に貼り付けて使用することができ、作業空間等を効率よく活用できる。
【００３１】
（変形形態）
以上説明した実施形態に限定されることなく、種々の変形や変更が可能であって、それらも本発明の範囲内である。
【００３２】
（１）各実施形態において、ベースシート部１２（２２）は、平面状に構成されている例を挙げて説明した。これに限らず、例えば、第１の拡大領域１２ａ（２２ａ）と積層領域１２ｃ（２２ｃ）との境界部分付近に折り癖を付ける等して、折曲げ可能な形態としてもよい。折曲げ可能な形態とすれば、保管時や運搬時の大きさを小型にでき、使用時には、展開して利用すれば、大きな面積で利用可能である。
【００３３】
（２）各実施形態において、ベースシート部１２（２２）の表面に、表面処理として、樹脂等のコートを行ってもよいし、特定の機能を備えた機能性シートやフィルム等を貼り付けてもよい。表面処理の内容としては、例えば、ホワイトボードや黒板の表面に相当する処理を行い、書き込みと消去を容易に行えるようにしてもよいし、意匠性を高めるための処理としてもよい。また、鏡面処理や鏡面を有するシートを貼り合せて鏡として利用可能にしてもよく、どのような形態としてもよい。
【００３４】
（３）各実施形態において、シート片１１１（２１１）及びベースシート部１２（２２）は、いずれも紙で構成した例を挙げて説明した。これに限らず、例えば、シート片及びベースシート部は、一方又は双方を樹脂シート（フィルム、板）により構成してもよいし、金属材料や木材等、どのような材料を素材に用いてもよい。
【００３５】
（４）各実施形態において、シート片１１１は、リング１３により接続されており、シート片２１１は、着脱可能な粘着材により接合されている例を挙げて説明した。これに限らず、例えば、シート片は接着剤等により接合されていて、シート片をめくって破り取る構成としてもよい。その場合、例えば、切断予定部分にミシン目等を設けてもよい。
【００３６】
（５）各実施形態において、第１の拡大領域１２ａ（２２ａ）は、積層部１１（１２）の側方のうちの一方側にのみ設けた例を挙げて説明した。これに限らず、例えば、両側に拡大領域を設けてもよい。
【００３７】
なお、各実施形態及び変形形態は、適宜組み合わせて用いることもできるが、詳細な説明は省略する。また、本発明は以上説明した各実施形態によって限定されることはない。
【符号の説明】
【００３８】
１        冊子体
２        冊子体
１１      積層部
１２      ベースシート部
１２ａ    第１の拡大領域
１２ｂ    第２の拡大領域
１２ｃ    積層領域
１３      リング
１４      粘着材
１５      剥離シート
２１      積層部
２２      ベースシート部
２２ａ    第１の拡大領域
２２ｂ    第２の拡大領域
２２ｃ    積層領域
２４      粘着材
２５      剥離シート
１１１    シート片
１１１ａ  第１の辺
１１１ｂ  第２の辺
２１１    シート片
２１１ａ  第１の辺
２１１ｂ  第２の辺
５００    ディスプレイ
６００    付箋
【図１】
2019119183.tif 000003
【図２】
2019119183.tif 000004
【図３】
2019119183.tif 000005
【図４】
2019119183.tif 000006
【図５】
2019119183.tif 000007
【図６】
2019119183.tif 000008
【図７】
2019119183.tif 000009
【図８】
2019119183.tif 000010
【図９】
2019119183.tif 000011
【図１０】
2019119183.tif 000012
【図１１】
2019119183.tif 000013
【図１２】
2019119183.tif 000014
【図１３】
2019119183.tif 000015